(57)【要約】【課題】第１の送信手段による送信処理の完了後に、送信された画像およびその送信結果の情報を第２の送信手段により予め設定された宛先に送信する連結送信処理を実行する際に、連結送信処理の実行途中で電源が遮断された場合でも、第１の送信手段による送信結果の情報を確実に送信するとともに、第２の送信手段が送信待ち状態のままとなってしまうことを防ぐ。【解決手段】送信制御部３７は、ＳＭＢ転送部３８のみを用いた単独送信処理を実行する際には、ＳＭＢ転送部３８が送信開始待ち状態となった後に電源断が発生した場合、電源復帰後にＳＭＢ転送処理を継続する。しかし、ＦＡＸ送信とＳＭＢ転送の連結送信処理を実行する際には、送信制御部３７は、ＳＭＢ転送部３８が送信開始待ち状態となった後に電源断が発生した場合でも、電源断の発生がＦＡＸ通信部３９に対する宛先指定の完了前であれば、電源復帰後にＳＭＢ転送処理を中止する。【選択図】図３
2020053732.tif 000002
【特許請求の範囲】
【請求項１】
送信しようとする画像を格納する格納手段と、
前記格納手段に格納されている画像を、指定された宛先に送信する第１の送信手段と、
前記格納手段に格納されている画像を、前記第１の送信手段による送信方法とは異なる送信方法で、指定された宛先に送信する第２の送信手段と、
前記第２の送信手段のみを用いた単独送信処理を実行する際には、前記第２の送信手段が送信開始待ち状態となった後に電源断が発生した場合、電源供給が開始された後に前記第２の送信手段による送信処理を継続するよう制御し、前記第１の送信手段による送信処理の完了後に、送信された画像およびその送信結果の情報を前記第２の送信手段により予め設定された宛先に送信する連結送信処理を実行する際には、前記第２の送信手段が送信開始待ち状態となった後に電源断が発生した場合でも、電源断の発生が前記第１の送信手段に対する宛先指定の完了前であれば、電源供給が開始された後に前記第２の送信手段による送信処理を中止するよう制御する送信制御手段と、
を備えた情報処理装置。
【請求項２】
前記送信制御手段は、前記第１の送信手段の送信処理を制御する際に、前記第１の送信手段に対する宛先指定が完了したか否かを示す第１のフラグ情報、および前記第１の送信手段による送信処理が完了したか否かを示す第２のフラグ情報を前記格納手段に格納し、前記連結送信処理の途中で電源断が発生して電源供給が開始された場合、前記第１のフラグ情報が宛先指定の完了前であることを示している場合には、前記格納手段に格納されている画像を削除して前記第１及び第２の送信手段による送信処理を中止し、前記第１のフラグ情報が宛先指定の完了後であることを示し前記第２のフラグ情報が送信処理の完了前であることを示している場合には、前記第１の送信手段による送信処理を継続するよう制御し、前記第２のフラグ情報が送信処理の完了後であることを示している場合には、前記第２の送信手段による送信処理を継続するよう制御する請求項１記載の情報処理装置。
【請求項３】
前記送信制御手段は、前記第２の送信手段の送信処理を制御する際に、前記第２の送信手段の送信処理が完了したか否かを示す第３のフラグ情報を前記格納手段に格納し、前記連結送信処理の途中で電源断が発生して電源供給が開始された場合、前記第３のフラグ情報が送信処理の完了後であることを示している場合には、前記格納手段に格納された画像を削除して前記連結送信処理を完了する請求項２記載の情報処理装置。
【請求項４】
前記第１の送信手段による送信方法が、実行することにより料金が発生する送信方法である請求項１から３のいずれか記載の情報処理装置。
【請求項５】
前記第１の送信手段による送信処理が、他の処理が実行中においても装置外面からは見えない状態で実行される処理である請求項１から３のいずれか記載の情報処理装置。
【請求項６】
前記第１の送信手段による送信方法が、公衆電話回線を介したファクシミリ送信である請求項４又は５記載の情報処理装置。
【請求項７】
送信しようとする画像を格納する格納手段と、前記格納手段に格納されている画像を、指定された宛先に送信する第１の送信手段と、前記格納手段に格納されている画像を、前記第１の送信手段による送信方法とは異なる送信方法で、指定された宛先に送信する第２の送信手段とを備えた情報処理装置に対して、前記第２の送信手段のみを用いた単独送信処理を実行する際には、前記第２の送信手段が送信開始待ち状態となった後に電源断が発生した場合、電源供給が開始された後に前記第２の送信手段による送信処理を継続するよう制御するステップと、
前記第１の送信手段による送信処理の完了後に、送信された画像およびその送信結果の情報を前記第２の送信手段により予め設定された宛先に送信する連結送信処理を実行する際には、前記第２の送信手段が送信開始待ち状態となった後に電源断が発生した場合でも、電源断の発生が前記第１の送信手段に対する宛先指定の完了前であれば、電源供給が開始された後に前記第２の送信手段による送信処理を中止するよう制御するステップと、
をコンピュータに実行させるためのプログラム。
【発明の詳細な説明】
【技術分野】
【０００１】
本発明は、情報処理装置およびプログラムに関する。
【背景技術】
【０００２】
特許文献１には、２つの異なる通信網に接続され画像形成装置において、電源供給が停止された状態から電源供給が開始されて通常稼働状態となった場合に、送信未完了の画像情報が存在する場合でも、２つの通信網のいずれもが有効ではないと判定された場合、送信未完了の画像情報の再送を行わないようにした画像形成装置が開示されている。
【先行技術文献】
【特許文献】
【０００３】
【特許文献１】特許第５４８３０７５号公報
【発明の概要】
【発明が解決しようとする課題】
【０００４】
本発明の目的は、第１の送信手段による送信処理の完了後に、送信された画像およびその送信結果の情報を第２の送信手段により予め設定された宛先に送信する連結送信処理を実行する際に、連結送信処理の実行途中で電源が遮断された場合でも、第１の送信手段による送信結果の情報を第２の送信手段により確実に送信するとともに、第２の送信手段が送信待ち状態のままとなってしまうことを防ぐことが可能な情報処理装置およびプログラムを提供することである。
【課題を解決するための手段】
【０００５】
［情報処理装置］
請求項１に係る本発明は、送信しようとする画像を格納する格納手段と、
前記格納手段に格納されている画像を、指定された宛先に送信する第１の送信手段と、
前記格納手段に格納されている画像を、前記第１の送信手段による送信方法とは異なる送信方法で、指定された宛先に送信する第２の送信手段と、
前記第２の送信手段のみを用いた単独送信処理を実行する際には、前記第２の送信手段が送信開始待ち状態となった後に電源断が発生した場合、電源供給が開始された後に前記第２の送信手段による送信処理を継続するよう制御し、前記第１の送信手段による送信処理の完了後に、送信された画像およびその送信結果の情報を前記第２の送信手段により予め設定された宛先に送信する連結送信処理を実行する際には、前記第２の送信手段が送信開始待ち状態となった後に電源断が発生した場合でも、電源断の発生が前記第１の送信手段に対する宛先指定の完了前であれば、電源供給が開始された後に前記第２の送信手段による送信処理を中止するよう制御する送信制御手段とを備えた情報処理装置である。
【０００６】
請求項２に係る本発明は、前記送信制御手段が、前記第１の送信手段の送信処理を制御する際に、前記第１の送信手段に対する宛先指定が完了したか否かを示す第１のフラグ情報、および前記第１の送信手段による送信処理が完了したか否かを示す第２のフラグ情報を前記格納手段に格納し、前記連結送信処理の途中で電源断が発生して電源供給が開始された場合、前記第１のフラグ情報が宛先指定の完了前であることを示している場合には、前記格納手段に格納されている画像を削除して前記第１及び第２の送信手段による送信処理を中止し、前記第１のフラグ情報が宛先指定の完了後であることを示し前記第２のフラグ情報が送信処理の完了前であることを示している場合には、前記第１の送信手段による送信処理を継続するよう制御し、前記第２のフラグ情報が送信処理の完了後であることを示している場合には、前記第２の送信手段による送信処理を継続するよう制御する請求項１記載の情報処理装置である。
【０００７】
請求項３に係る本発明は、前記送信制御手段が、前記第２の送信手段の送信処理を制御する際に、前記第２の送信手段の送信処理が完了したか否かを示す第３のフラグ情報を前記格納手段に格納し、前記連結送信処理の途中で電源断が発生して電源供給が開始された場合、前記第３のフラグ情報が送信処理の完了後であることを示している場合には、前記格納手段に格納された画像を削除して前記連結送信処理を完了する請求項２記載の情報処理装置である。
【０００８】
請求項４に係る本発明は、前記第１の送信手段による送信方法が、実行することにより料金が発生する送信方法である請求項１から３のいずれか記載の情報処理装置である。
【０００９】
請求項５に係る本発明は、前記第１の送信手段による送信処理が、他の処理が実行中においても装置外面からは見えない状態で実行される処理である請求項１から３のいずれか記載の情報処理装置である。
【００１０】
請求項６に係る本発明は、前記第１の送信手段による送信方法が、公衆電話回線を介したファクシミリ送信である請求項４又は５記載の情報処理装置である。
【００１１】
［プログラム］
請求項７に係る本発明は、送信しようとする画像を格納する格納手段と、前記格納手段に格納されている画像を、指定された宛先に送信する第１の送信手段と、前記格納手段に格納されている画像を、前記第１の送信手段による送信方法とは異なる送信方法で、指定された宛先に送信する第２の送信手段とを備えた情報処理装置に対して、前記第２の送信手段のみを用いた単独送信処理を実行する際には、前記第２の送信手段が送信開始待ち状態となった後に電源断が発生した場合、電源供給が開始された後に前記第２の送信手段による送信処理を継続するよう制御するステップと、
前記第１の送信手段による送信処理の完了後に、送信された画像およびその送信結果の情報を前記第２の送信手段により予め設定された宛先に送信する連結送信処理を実行する際には、前記第２の送信手段が送信開始待ち状態となった後に電源断が発生した場合でも、電源断の発生が前記第１の送信手段に対する宛先指定の完了前であれば、電源供給が開始された後に前記第２の送信手段による送信処理を中止するよう制御するステップとをコンピュータに実行させるためのプログラムである。
【発明の効果】
【００１２】
請求項１に係る本発明によれば、第１の送信手段による送信処理の完了後に、送信された画像およびその送信結果の情報を第２の送信手段により予め設定された宛先に送信する連結送信処理を実行する際に、連結送信処理の実行途中で電源が遮断された場合でも、第１の送信手段による送信結果の情報を第２の送信手段により確実に送信するとともに、第２の送信手段が送信待ち状態のままとなってしまうことを防ぐことが可能な情報処理装置を提供することができる。
【００１３】
請求項２に係る本発明によれば、連結送信処理を実行する際に、第１の送信手段に対する宛先指定の完了後に電源断が発生した場合には、電源供給が開始された後に第１の送信手段による送信処理を継続して、送信された画像およびその送信結果の情報を第２の送信手段により予め設定された宛先に送信することが可能な情報処理装置を提供することができる。
【００１４】
請求項３に係る本発明によれば、連結送信処理を実行する際に、第１の送信手段における送信処理の完了後であって第２の送信手段による送信処理の完了前に電源断が発生した場合でも、格納手段に格納された画像が残ってしまうことを防ぐことが可能な情報処理装置を提供することができる。
【００１５】
請求項４に係る本発明によれば、電源断が発生した場合に不必要な料金が発生してしまうことを防ぐことが可能な情報処理装置を提供することができる。
【００１６】
請求項５に係る本発明によれば、第１の送信手段による送信処理が装置外面からは見えない状態で実行されることによりユーザにより誤って電源を遮断される可能性が高い場合でも、連結送信処理の実行途中で電源が遮断された際に、第１の送信手段による送信結果の情報を第２の送信手段により確実に送信するとともに、第２の送信手段が送信待ち状態のままとなってしまうことを防ぐことが可能な情報処理装置を提供することができる。
【００１７】
請求項６に係る本発明によれば、第１の送信手段による公衆電話回線を介したファクシミリ送信処理の完了後に、送信された画像およびその送信結果の情報を第２の送信手段により予め設定された宛先に送信する連結送信処理を実行する際に、連結送信処理の実行途中で電源が遮断された場合でも、第１の送信手段によるファクシミリ送信結果の情報を第２の送信手段により確実に送信するとともに、第２の送信手段が送信待ち状態のままとなってしまうことを防ぐことが可能な情報処理装置を提供することができる。
【００１８】
請求項７に係る本発明によれば、第１の送信手段による送信処理の完了後に、送信された画像およびその送信結果の情報を第２の送信手段により予め設定された宛先に送信する連結送信処理を実行する際に、連結送信処理の実行途中で電源が遮断された場合でも、第１の送信手段による送信結果の情報を第２の送信手段により確実に送信するとともに、第２の送信手段が送信待ち状態のままとなってしまうことを防ぐことが可能なプログラムを提供することができる。
【図面の簡単な説明】
【００１９】
【図１】本発明の一実施形態の画像形成システムのシステム構成を示す図である。
【図２】本発明の一実施形態における画像形成装置１０のハードウェア構成を示すブロック図である。
【図３】本発明の一実施形態における画像形成装置１０の機能構成を示すブロック図である。
【図４】原稿画像格納部３４に格納される文書データ４１の構成を説明するための図である。
【図５】ＦＡＸ送信の単独ジョブが実行される場合の動作を説明するためのフローチャートである。
【図６】ＦＡＸ送信の単独ジョブが実行される場合の動作を説明するための状態遷移図である。
【図７】ＳＭＢ転送の単独ジョブが実行される場合の動作を説明するためのフローチャートである。
【図８】ＳＭＢ転送の単独ジョブが実行される場合の動作を説明するための状態遷移図である。
【図９】ＦＡＸ送信とＳＭＢ転送の連結ジョブが実行される場合の動作を説明するためのフローチャートである。
【図１０】ＦＡＸ送信とＳＭＢ転送の連結ジョブが実行される場合の動作を説明するための状態遷移図である。
【図１１】ＦＡＸ送信とＳＭＢ転送の連結ジョブの処理途中で電源断が発生して電源が復帰した場合のリカバリ処理を説明するためのフローチャートである。
【図１２】ＦＡＸ送信とＳＭＢ転送の連結ジョブの処理途中で電源断が発生して電源が復帰した場合のリカバリ処理を説明するためのフローチャートである。
【発明を実施するための形態】
【００２０】
次に、本発明の実施の形態について図面を参照して詳細に説明する。
【００２１】
図１は本発明の一実施形態の画像形成システムの構成を示す図である。
【００２２】
本発明の一実施形態の画像形成システムは、図１に示されるように、ネットワーク３０により相互に接続された画像形成装置１０、および管理サーバ２０により構成される。画像形成装置１０は、印刷（プリント）機能、スキャン機能、複写（コピー）機能、ファクシミリ機能等の複数の機能を有するいわゆる複合機と呼ばれる装置である。
【００２３】
そして、画像形成装置１０には、スキャナにより読取られた画像等を、管理サーバ２０や図示しないパーソナルコンピュータ等の他の端末装置の予め設定された格納領域に転送するＳＭＢ（Server Message Block）転送機能が備えられている。
【００２４】
また、画像形成装置１０には、ＦＡＸ（ファクシミリ）送信を行うために公衆電話回線４０が接続されている。画像形成装置１０では、スキャナにより読み取った画像を、公衆電話回線４０を介して指定された宛先に送信するＦＡＸ送信機能が備えられている。
【００２５】
さらに、画像形成装置１０には、上記のＳＭＢ転送とＦＡＸ送信機能を組み合わせたＦＡＸ送信履歴転送機能が備えられている。このＦＡＸ送信履歴転送機能は、ＦＡＸ送信が行われた後に、いつ、誰がどのような内容の画像をどこにＦＡＸ送信したのかが分かるような履歴情報を、ＳＭＢ転送機能を用いて管理サーバ２０に転送して格納するものである。
【００２６】
なお、このＦＡＸ送信履歴転送機能は、情報漏洩が発生した場合に、情報漏洩の経路を追跡可能とすることにより情報漏洩を抑制することを目的として設けられている。
【００２７】
次に、本実施形態の画像形成システムにおける画像形成装置１０のハードウェア構成を図２に示す。
【００２８】
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００２９】
プリントエンジン１７は、帯電、露光、現像、転写、定着などの工程を経て印刷用紙等の記録媒体上に画像を印刷する。
【００３０】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明するが、当該プログラムをＣＤ−ＲＯＭ等の記憶媒体に格納してＣＰＵ１１に提供することも可能である。
【００３１】
図３は、上記の制御プログラムが実行されることにより実現される画像形成装置１０の機能構成を示すブロック図である。
【００３２】
本実施形態の画像形成装置１０は、図３に示されるように、画像読取部３１と、印刷部３２と、表示部３３と、原稿画像格納部３４と、システム制御部３５と、操作入力部３６と、送信制御部３７と、ＳＭＢ転送部３８と、ＦＡＸ通信部３９とを備えている。
【００３３】
画像読取部３１は、セットされた原稿をスキャンすることにより原稿画像を取得する。
【００３４】
印刷部３２は、システム制御部３５からの指示に基づいて、印刷用紙等の記録媒体上に画像を出力する。
【００３５】
表示部３３は、システム制御部３２により制御され、ユーザに各種情報を表示する。操作入力部３６は、ユーザにより行われた各種操作情報を入力する。
【００３６】
原稿画像格納部３４は、画像読取部３１により読取られ、ＳＭＢ転送部３８やＦＡＸ通信部３９により送信しようとする画像を一時的に格納する。
【００３７】
システム制御部３５は、外部の装置等から送信されてきた印刷ジョブや、自装置の操作入力部３６を介して指示されたコピージョブ、ＦＡＸ送信ジョブ等に基づいて、印刷部３２を制御して印刷処理を実行したり、原稿画像格納部３４に格納されている原稿画像の送信処理を実行するよう送信制御部３７に指示したりする制御を行っている。
【００３８】
送信制御部３７は、システム制御部３５による指示に基づいて、原稿画像格納部３４に格納されている原稿画像を、ＳＭＢ転送部３８またはＦＡＸ通信部３９を介して、指定された宛先に送信するような制御を行っている。
【００３９】
ＦＡＸ通信部３９は、送信制御部３７により制御され、原稿画像格納部３４に格納されている原稿画像を、公衆電話回線４０を介して指定された宛先にＦＡＸ送信する。また、ＦＡＸ通信部３９は、公衆電話回線４０を介して他の装置からＦＡＸ送信されてきた画像を受信する処理も行っている。
【００４０】
ここで、公衆電話回線４０を介したＦＡＸ送信では回線使用料が発生する。つまり、ＦＡＸ通信部３９によるＦＡＸ送信方法は実行することにより料金が発生する送信方法である。また、ＦＡＸ通信部３９によるＦＡＸ送信処理は、他のコピー処理や印刷処理の裏側でバックグラウンド処理されるため、他の処理が実行中においても装置外面からは見えない状態で実行される処理である。
【００４１】
ＳＭＢ転送部３８は、送信制御部３７により制御され、原稿画像格納部３４に格納されている原稿画像を、ＦＡＸ通信部３９によるＦＡＸ送信方法とは異なる送信方法により、指定された宛先に送信する。具体的には、ＳＭＢ転送部３８は、原稿画像格納部３４に格納されている原稿画像を、ネットワーク３０を介して、パーソナルコンピュータ等の外部装置の指定されたフォルダ内にＳＭＢ転送するような処理を行っている。
【００４２】
ここで、本実施形態の画像形成装置１０においてＦＡＸ送信の単独処理が実行される場合には、画像読取部３１により読取られた原稿画像が原稿画像格納部３４に格納された後に、送信制御部３７による制御に基づいて、ＦＡＸ通信部３９が原稿画像格納部３４に格納された原稿画像を、公衆電話回線４０を介して指定された宛先にＦＡＸ送信する。
【００４３】
また、本実施形態の画像形成装置１０においてＳＭＢ転送の単独処理が実行される場合には、画像読取部３１により読取られた原稿画像が原稿画像格納部３４に格納された後に、送信制御部３７による制御に基づいて、ＳＭＢ転送部３８が、原稿画像格納部３４に格納された原稿画像を、ネットワーク３０を介して指定された宛先にＳＭＢ転送する。
【００４４】
さらに、本実施形態の画像形成装置１０において、上述したようなＦＡＸ送信履歴転送機能を実行する場合には、画像読取部３１により読取られた原稿画像が原稿画像格納部３４に格納された後に、送信制御部３７による制御に基づいて、ＦＡＸ通信部３９が原稿画像を、公衆電話回線４０を介して指定された宛先にＦＡＸ送信する。そして、ＦＡＸ通信部３９によるＦＡＸ送信の完了後に、ＳＭＢ転送部３８は、原稿画像格納部３４に格納された画像およびＦＡＸ通信部３９による通信結果の情報を管理サーバ２０等の指摘された宛先に転送する。
【００４５】
次に、このようなＦＡＸ送信、ＳＭＢ転送、ＦＡＸ送信履歴転送の処理中に電源が遮断された場合（電源断が発生した場合）の動作について説明する。
【００４６】
上記のような処理途中で画像形成装置１０に供給されている電源が遮断された場合、電源が遮断された際のそれぞれの処理の処理状態により電源復帰後に中断した処理を継続してリカバリするのか処理全体がキャンセルされるのかが決定される。
【００４７】
例えば、ＦＡＸ送信の単独処理の場合、原稿画像を送信する宛先の指定完了前に電源断が発生した場合には、ＦＡＸ送信ジョブが生成される前にＦＡＸ送信処理はキャンセルされ、電源復帰後においてもＦＡＸ送信処理はリカバリされない。
【００４８】
しかし、ＦＡＸ送信の単独処理の場合、原稿画像を送信する宛先の指定完了後に電源断が発生した場合には、ＦＡＸ送信ジョブが既に生成されているので、電源復帰後においてもＦＡＸ送信処理がリカバリされ、電源断が発生する前に指定された宛先に対して原稿画像がＦＡＸ送信される。
【００４９】
また、ＳＭＢ転送の単独処理の場合、原稿画像が原稿画像格納部３４に格納されてＳＭＢ転送部３８がＳＭＢ転送の転送開始待ち状態となる前に電源断が発生した場合には、ＳＭＢ転送ジョブがキャンセルされ、電源復帰後においてもＳＭＢ転送処理はリカバリされない。
【００５０】
しかし、ＳＭＢ転送の単独処理の場合、ＳＭＢ転送部３８がＳＭＢ転送の転送開始待ち状態となった後に電源断が発生した場合には、電源復帰後においてもＳＭＢ転送処理がリカバリされ、電源断が発生する前に指定された宛先に対して原稿画像がＳＭＢ転送される。
【００５１】
つまり、送信制御部３７は、ＳＭＢ転送部３８のみを用いた単独送信処理（単独ジョブ）を実行する際には、ＳＭＢ転送部３８が送信開始待ち状態となった後に電源断が発生した場合、電源供給が開始された後にＳＭＢ転送部３８によるＳＭＢ転送処理を継続するよう制御する。
【００５２】
しかし、ＦＡＸ通信部３９によるＦＡＸ送信処理の完了後に、ＦＡＸ送信により送信された原稿画像およびその送信結果の情報をＳＭＢ転送部３８により予め設定された管理サーバ２０等の宛先に送信するＦＡＸ送信とＳＭＢ転送の連結送信処理（連結ジョブ）を実行するＦＡＸ送信履歴転送が行われる際には、送信制御部３７は下記のような制御を行う。
【００５３】
具体的には、送信制御部３７は、ＦＡＸ送信とＳＭＢ転送の連結送信処理を実行する際には、ＳＭＢ転送部３８が送信開始待ち状態となった後に電源断が発生した場合でも、電源断の発生がＦＡＸ通信部３９に対する宛先指定の完了前であれば、電源供給が開始された後にＳＭＢ転送部３８による送信処理を中止するよう制御する。
【００５４】
ここで、ＦＡＸ送信履歴転送機能を実現するために、ＦＡＸ送信とＳＭＢ転送の連結送信処理を実行する際には、ＦＡＸ送信を行うＦＡＸ送信ジョブとＳＭＢ転送を行うＳＭＢ転送ジョブがそれぞれ独立して生成される。そして、送信制御部３７は、ＳＭＢ転送ジョブを転送開始待ち状態として、ＦＡＸ通信部３９によるＦＡＸ送信処理が完了するまでＳＭＢ転送部３８を待機状態とする。
【００５５】
そして、ＦＡＸ通信部３９によるＦＡＸ通信が完了すると、待機状態となっていたＳＭＢ転送部３８は、ＦＡＸ送信された画像とその送信結果の情報を指定された宛先にＳＭＢ転送するようになっている。
【００５６】
しかし、ＳＭＢ転送部３８が転送開始待ち状態となった後で、ＦＡＸ通信部３９がＦＡＸ送信を行う宛先の指定完了前に電源断が発生した場合、ＦＡＸ送信処理はキャンセルされてしまいＦＡＸ送信はリカバリされない。そのため、ＳＭＢ転送部３８は、転送開始待ち状態となってＦＡＸ送信の完了を待っていたとしても、いつまでたってもＦＡＸ送信が完了しないため、転送開始待ち状態のままとなってしまう。
【００５７】
その結果、他のＳＭＢ転送処理を実行しようとしても実行できない場合や、誤って不必要な画像を送信してしまうような処理が発生してしまうような問題が発生する可能性がある。
【００５８】
このような問題の発生を回避するため、本実施形態における送信制御部３７は、上述したように、ＦＡＸ送信とＳＭＢ転送の連結送信処理を実行する際には、ＳＭＢ転送部３８が送信開始待ち状態となった後に電源断が発生した場合でも、電源断の発生がＦＡＸ通信部３９に対する宛先指定の完了前であれば、電源供給が開始された後にＳＭＢ転送部３８による送信処理を中止するよう制御している。
【００５９】
なお、本実施形態の画像形成装置１０では、このようなＦＡＸ通信部３９やＳＭＢ転送部３８の現在の状態がどのような状態であるかの管理を各種フラグにより管理している。この各種フラグは、図４に示すように、原稿画像格納部３４に格納する原稿画像４３とともに属性情報４２として管理されている。つまり、原稿画像４３は、属性情報４２とともに文書データ４１として原稿画像格納部３４に格納されている。
【００６０】
ここで、送信制御部３７は、ＦＡＸ通信部３９の送信処理を制御する際に、ＦＡＸ通信部３９に対する宛先指定が完了したか否かを示す宛先指定完了フラグ（第１のフラグ情報）、およびＦＡＸ通信部３９による送信処理が完了したか否かを示すＦＡＸ送信完了フラグ（第２のフラグ情報）を原稿画像格納部３４において属性情報４２に含めて格納する。
【００６１】
さらに、送信制御部３７は、ＳＭＢ転送部３８の送信処理を制御する際に、ＳＭＢ転送部３８の送信処理が完了したか否かを示す転送完了フラグ（第３のフラグ情報）を原稿画像格納部３４において属性情報４２に含めて格納する。
【００６２】
そして、送信制御部３７は、ＳＭＢ転送とＦＡＸ送信の連結送信処理の途中で電源断が発生して電源供給が開始された場合、宛先指定完了フラグが宛先指定の完了前であることを示している場合には、原稿画像格納部３４に格納されている画像を削除して、ＦＡＸ通信部３９及びＳＭＢ転送部３８の両方の送信処理を中止する。
【００６３】
そして、送信制御部３７は、宛先指定完了フラグが宛先指定の完了後であることを示しＦＡＸ送信完了フラグが送信処理の完了前であることを示している場合には、ＦＡＸ通信部３９による送信処理を継続するよう制御し、宛先指定完了フラグが宛先指定の完了後であることを示しＦＡＸ送信完了フラグが送信処理の完了後であることを示している場合には、ＳＭＢ転送部３８による送信処理を継続するよう制御する。
【００６４】
さらに送信制御部３７は、連結送信処理の途中で電源断が発生して電源供給が開始された場合、転送完了フラグが送信処理の完了後であることを示している場合には、原稿画像格納部３４に格納された原稿画像を削除して連結送信処理を完了するようにして原稿画像格納部３４内に不要な原稿画像が残らないようにする。
【００６５】
次に、本実施形態の画像形成装置１０において、上述したような連結送信処理の途中で電源断が発生した場合の動作について図面を参照して詳細に説明する。
【００６６】
ただし、電源断が発生した場合の連結送信処理の動作を理解し易くするため、先ずはＦＡＸ送信の単独ジョブを実行する場合の動作を図５のフローチャート及び図６の状態遷移図を参照して説明する。
【００６７】
先ず、画像読取部３１によりセットされた原稿がスキャンされると（ステップＳ１０１）、スキャンされた原稿画像は原稿画像格納部３４に格納される（ステップＳ１０２）。
【００６８】
そして、ユーザによる操作入力部３６に対する操作によりＦＡＸ宛先が入力され、送信実行が指示されると（ステップＳ１０３）、送信制御部３７は、ＦＡＸ送信ジョブを生成して原稿画像格納部３４に記憶されている宛先指定完了フラグをオン状態とする（ステップＳ１０４）。
【００６９】
ＦＡＸ送信の単独ジョブでは、この宛先指定完了フラグがオン状態となる前に電源断が発生した場合には、電源復帰後でもリカバリ処理は行われず、ＦＡＸ送信処理はキャンセルされることになる。逆に、ＦＡＸ送信の単独ジョブでは、この宛先指定完了フラグがオン状態となった後に電源断が発生した場合には、既にＦＡＸ送信ジョブが生成されているため、電源復帰後にリカバリ処理が行われ、ＦＡＸ送信処理はキャンセルされずに継続される。
【００７０】
そして、送信制御部３７による制御に基づいてＦＡＸ通信部３９により原稿画像格納部３４に格納されていた原稿画像が指定されて宛先に対してＦＡＸ送信される（ステップＳ１０５）。すると、送信制御部３７は、原稿画像格納部３４に記憶されているＦＡＸ送信完了フラグをオン状態とする（ステップＳ１０６）。
【００７１】
最後に、送信制御部３７は、原稿画像格納部３４に格納されている原稿画像を削除して、ＦＡＸ送信処理を終了する（ステップＳ１０７）。
【００７２】
この図５のフローチャートを参照して説明したＦＡＸ送信の単独ジョブの動作における状態遷移を図６の状態遷移図により説明する。
【００７３】
先ず、原稿読取部３１による原稿画像のスキャンが開始されると、動作状態は原稿スキャン状態５１となる。そして、原稿画像のスキャンが完了して、原稿画像が原稿画像格納部３４に格納されると、動作状態は、原稿スキャン状態５１から原稿画像格納状態５２に移行する。
【００７４】
その後、ユーザが操作入力部３６を操作して宛先入力を開始すると、動作状態はＦＡＸ宛先入力中状態５４に移行する。そして、ユーザがＦＡＸ宛先の入力を終了し、ＦＡＸ送信ボタンを操作することによりＦＡＸ宛先が確定してＦＡＸ宛先確定状態５５となる。
【００７５】
ここで、原稿スキャン状態５１からＦＡＸ宛先確定状態５５となる直前の間に電源断が発生した場合、電源復帰後にリカバリ処理は実行されずにＦＡＸ送信処理はキャンセルされることになる。
【００７６】
そして、ＦＡＸ宛先が確定すると動作状態はＦＡＸ送信中状態５６となり、ＦＡＸ送信が完了するとＦＡＸ送信完了状態５７となる。
【００７７】
最後に、ＦＡＸ送信が行われた原稿画像を原稿画像格納部３４から削除する原稿画像削除状態６１となり、原稿画像の削除処理が完了するとＦＡＸ送信ジョブは完了する。
【００７８】
ここで、ＦＡＸ宛先が確定した後のＦＡＸ送信中状態５６から原稿削除状態６１までの間に電源断が発生した場合、電源復帰後にはリカバリ処理が実行され、ＦＡＸ送信ジョブは電源断が発生した時の処理から再度実行されることになる。
【００７９】
次に、ＳＭＢ転送の単独ジョブを実行する場合の動作を図７のフローチャート及び図８の状態遷移図を参照して説明する。
【００８０】
先ず、画像読取部３１によりセットされた原稿がスキャンされると（ステップＳ２０１）、スキャンされた原稿画像は原稿画像格納部３４に格納される（ステップＳ２０２）。
【００８１】
すると、ＳＭＢ転送ジョブが生成されてＳＭＢ転送部３８は転送開始待ち状態となる（ステップＳ２０３）。
【００８２】
ＳＭＢ転送の単独ジョブでは、この転送開始待ち状態となる前に電源断が発生した場合には、電源復帰後でもリカバリ処理は行われず、ＳＭＢ転送ジョブはキャンセルされることになる。逆に、ＳＭＢ転送の単独ジョブでは、この転送開始待ち状態となった後に電源断が発生した場合には、電源復帰後にリカバリ処理が行われ、ＳＭＢ転送ジョブはキャンセルされずに継続される。
【００８３】
そして、送信制御部３７による制御に基づいてＳＭＢ転送部３８により原稿画像格納部３４に格納されていた原稿画像が指定されて宛先に対してＳＭＢ転送される（ステップＳ２０４）。すると、送信制御部３７は、原稿画像格納部３４に記憶されている転送完了フラグをオン状態とする（ステップＳ２０５）。
【００８４】
最後に、送信制御部３７は、原稿画像格納部３４に格納されている原稿画像を削除して、ＳＭＢ転送処理を終了する（ステップＳ２０６）。
【００８５】
この図７のフローチャートを参照して説明したＳＭＢ転送の単独ジョブの動作における状態遷移を図８の状態遷移図により説明する。
【００８６】
先ず、原稿読取部３１による原稿画像のスキャンが開始されると、動作状態は原稿スキャン状態５１となる。そして、原稿画像のスキャンが完了して、原稿画像が原稿画像格納部３４に格納されると、動作状態は、原稿スキャン状態５１から原稿画像格納状態５２に移行する。
【００８７】
ここで、ＳＭＢ転送ジョブでは、原稿スキャン状態５１から原稿画像格納状態５２までの間に電源断が発生した場合、電源復帰後にリカバリ処理は実行されずにＳＭＢ転送ジョブはキャンセルされることになる。
【００８８】
そして、原稿画像の格納が完了すると、ＳＭＢ転送部３８はＳＭＢ転送開始待ち状態５３となる。そして、ＳＭＢ転送部３８は、ＳＭＢ転送準備状態５８を経由してＳＭＢ転送開始状態５９となり、指定された宛先へのＳＭＢ転送が完了するとＳＭＢ転送完了状態６０となる。
【００８９】
最後に、ＳＭＢ転送が行われた原稿画像を原稿画像格納部３４から削除する原稿画像削除状態６１となり、原稿画像の削除処理が完了するとＳＭＢ転送ジョブは完了する。
【００９０】
ここで、ＳＭＢ転送開始待ち状態５３から原稿削除状態６１までの間に電源断が発生した場合、電源復帰後にはリカバリ処理が実行され、ＳＭＢ転送ジョブは電源断が発生した時の処理から再度実行されることになる。
【００９１】
次に、上記で説明したＦＡＸ転送ジョブとＳＭＢ転送ジョブを組み合わせることにより実現されるＦＡＸ送信履歴転送機能を実行した場合の動作を図９のフローチャート及び図１０の状態遷移図を参照して説明する。ＦＡＸ送信履歴転送機能では、ＦＡＸ送信の送信結果をＳＭＢ転送により指定された宛先に送信する処理が行われるため、ＦＡＸ送信とＳＭＢ転送の連結ジョブが生成されて実行されることになる。
【００９２】
先ず、画像読取部３１によりセットされた原稿がスキャンされると（ステップＳ３０１）、スキャンされた原稿画像は原稿画像格納部３４に格納される（ステップＳ３０２）。
【００９３】
すると、ＳＭＢ転送ジョブが生成されてＳＭＢ転送部３８は転送開始待ち状態となる（ステップＳ３０３）。
【００９４】
そして、ユーザによる操作入力部３６に対する操作によりＦＡＸ宛先が入力され、送信実行が指示されると（ステップＳ３０４）、送信制御部３７は、原稿画像格納部３４に記憶されている宛先指定完了フラグをオン状態とする（ステップＳ３０５）。
【００９５】
ＦＡＸ送信とＳＭＢ転送の連結ジョブにおいても、この宛先指定完了フラグがオン状態となる前に電源断が発生した場合には、電源復帰後でもリカバリ処理は行われず、ＦＡＸ送信処理はキャンセルされることになる。
【００９６】
そして、送信制御部３７による制御に基づいてＦＡＸ通信部３９により原稿画像格納部３４に格納されていた原稿画像が指定されて宛先に対してＦＡＸ送信される（ステップＳ３０６）。すると、送信制御部３７は、原稿画像格納部３４に記憶されているＦＡＸ送信完了フラグをオン状態とする（ステップＳ３０７）。
【００９７】
ＦＡＸ送信とＳＭＢ転送の連結ジョブにおいても、この宛先指定完了フラグがオン状態となった後であってＦＡＸ送信完了フラグがオン状態となるまでの間に電源断が発生した場合には、電源復帰後にリカバリ処理が行われ、ＦＡＸ送信から処理が再度実行される。
【００９８】
そして、送信制御部３７による制御に基づいて、原稿画像格納部３４に格納されていた原稿画像およびＦＡＸ送信の送信結果の情報が、ＳＭＢ転送部３８により管理サーバ２０等の指定された宛先に対してＳＭＢ転送される（ステップＳ３０８）。すると、送信制御部３７は、原稿画像格納部３４に記憶されている転送完了フラグをオン状態とする（ステップＳ３０９）。
【００９９】
最後に、送信制御部３７は、原稿画像格納部３４に格納されている原稿画像を削除して、ＦＡＸ送信処理およびＳＭＢ転送処理が連結されたＦＡＸ送信履歴転送処理を終了する（ステップＳ３１０）。
【０１００】
ここで、ＦＡＸ送信完了フラグがオン状態となってから転送完了フラグがオン状態となるまでの間に電源断が発生した場合、電源復帰後にはリカバリ処理が実行され、ＳＭＢ転送から処理が再度実行される。
【０１０１】
この図９のフローチャートを参照して説明したＦＡＸ送信とＳＭＢ転送の連結ジョブの動作における状態遷移を図１０の状態遷移図により説明する。
【０１０２】
先ず、原稿読取部３１による原稿画像のスキャンが開始されると、動作状態は原稿スキャン状態５１となる。そして、原稿画像のスキャンが完了して、原稿画像が原稿画像格納部３４に格納されると、動作状態は、原稿スキャン状態５１から原稿画像格納状態５２に移行する。
【０１０３】
そして、原稿画像の格納が完了すると、ＳＭＢ転送部３８はＳＭＢ転送開始待ち状態５３となる。
【０１０４】
その後、ユーザが操作入力部３６を操作して宛先入力を開始すると、動作状態はＦＡＸ宛先入力中状態５４に移行する。そして、ユーザがＦＡＸ宛先の入力を終了し、ＦＡＸ送信ボタンを操作することによりＦＡＸ宛先が確定してＦＡＸ宛先確定状態５５となる。
【０１０５】
ここで、原稿スキャン状態５１からＦＡＸ宛先確定状態５５となる直前の間に電源断が発生した場合、電源復帰後にリカバリ処理は実行されずにＦＡＸ送信処理はキャンセルされることになる。
【０１０６】
ここで、ＦＡＸ送信とＳＭＢ転送の連結ジョブでは、ＦＡＸ送信ジョブとＳＭＢ転送ジョブという２つの独立したジョブがそれぞれ生成されて実行される。
【０１０７】
そして、ＳＭＢ転送ジョブでは、ＳＭＢ転送開始待ち状態となった以降に電源断が発生した場合には、電源復帰後に処理をキャンセルすることなくＳＭＢ転送を継続するようになっている。
【０１０８】
そのため、ＦＡＸ送信とＳＭＢ転送の連結ジョブにおいて、ＦＡＸ宛先確定状態５５となるまで間に電源断が発生した場合、ＦＡＸ送信処理のみキャンセルしてしまうと、ＳＭＢ転送ジョブはＳＭＢ転送開始待ち状態とのまま残ってしまうことになる。そして、このＳＭＢ転送開始待ち状態は、ＦＡＸ送信が完了するとＳＭＢ転送を開始するように設定されているため、ＳＭＢ転送部３８はいつまでもＳＭＢ転送開始待ち状態となってしまうことになる。
【０１０９】
そこで、本実施形態の送信制御部３７は、上述したように、ＦＡＸ送信とＳＭＢ転送の連結送信処理を実行する際には、ＳＭＢ転送部３８が送信開始待ち状態となった後に電源断が発生した場合でも、電源断の発生がＦＡＸ通信部３９に対する宛先指定の完了前であれば、電源供給が開始された後にＳＭＢ転送ジョブをキャンセルしてＳＭＢ転送部３８による送信処理を中止するよう制御する。
【０１１０】
その結果、原稿スキャン状態５１からＦＡＸ宛先確定状態５５となる直前の間に電源断が発生した場合、電源復帰後にリカバリ処理は実行されずにＦＡＸ送信処理およびＳＭＢ転送処理の両方がキャンセルされることになる。
【０１１１】
そして、ＦＡＸ宛先が確定すると動作状態はＦＡＸ送信中状態５６となり、ＦＡＸ送信が完了するとＦＡＸ送信完了状態５７となる。
【０１１２】
ここで、ＦＡＸ宛先が確定した後のＦＡＸ送信中状態５６から原稿削除状態６１までの間に電源断が発生した場合、電源復帰後にはリカバリ処理が実行され、ＦＡＸ送信ジョブは電源断が発生した時の処理から再度実行されることになる。
【０１１３】
そして、ＦＡＸ通信部３９によるＦＡＸ送信処理が完了すると、ＳＭＢ転送部３８は、ＳＭＢ転送準備状態５８を経由してＳＭＢ転送開始状態５９となり、指定された宛先へ原稿画像およびＦＡＸ送信結果の情報がＳＭＢ転送される。そして、指定された宛先へのＳＭＢ転送が完了するとＳＭＢ転送完了状態６０となる。
【０１１４】
最後に、ＳＭＢ転送が行われた原稿画像を原稿画像格納部３４から削除する原稿画像削除状態６１となり、原稿画像の削除処理が完了するとＳＭＢ転送ジョブ及びｆａｘ送信の連結ジョブは完了する。
【０１１５】
ここで、ＳＭＢ転送開始待ち状態５３から原稿削除状態６１までの間に電源断が発生した場合、電源復帰後にはリカバリ処理が実行され、ＳＭＢ転送ジョブは電源断が発生した時の処理から再度実行されることになる。
【０１１６】
送信制御部３７では、上述したような電源断の際のリカバリ処理を各種フラグの状態に基づいて切替えており、このようなリカバリ処理の動作の詳細を図１１、図１２のフローチャートを参照して説明する。
【０１１７】
ＦＡＸ送信とＳＭＢ転送の連結ジョブの処理途中で電源断が発生して電源が復帰した場合、画像形成装置１０全体のデバイス初期化が行われる（ステップＳ４０１）。
【０１１８】
そして、送信制御部３７は、原稿画像格納部３４に原稿画像か格納されているかの判定を行う（ステップＳ４０２）。そして、原稿画像格納部３４に原稿画像が格納されていない場合（ステップＳ４０２においてｎｏ）、送信制御部３７は処理を終了する。
【０１１９】
そして、原稿画像格納部３４に原稿画像が格納されている場合（ステップＳ４０２においてｙｅｓ）、送信制御部３７は、この原稿画像の属性情報に含まれるフラグの状態（フラグ情報）を確認する（ステップＳ４０３）。具体的には、送信制御部３７は、属性情報として含まれる、宛先指定完了フラグ、ＦＡＸ送信完了フラグ、転送完了フラグの状態をそれぞれ確認する。
【０１２０】
そして、宛先指定フラグがオン状態でない場合（ステップＳ４０４においてｎｏ）、送信制御部３７は、連結ジョブのリカバリ処理を行わずに処理を終了する。
【０１２１】
そして、宛先指定フラグがオン状態の場合（ステップＳ４０４においてｙｅｓ）で、かつＦＡＸ送信完了フラグがオン状態でない場合（ステップＳ４０５においてｎｏ）、送信制御部３７は、図１２のフローチャートにおけるＦＡＸ送信処理（ステップＳ３０６）から処理を継続するようなリカバリ処理を実行する。
【０１２２】
さらに、宛先指定フラグ及びＦＡＸ送信完了フラグがともにオン状態の場合（ステップＳ４０４、Ｓ４０５においてｙｅｓ）で、かつ転送完了フラグがオン状態でない場合（ステップＳ４０６においてｎｏ）、送信制御部３７は、図１２のフローチャートにおけるＳＭＢ転送処理（ステップＳ３０８）から処理を継続するようなリカバリ処理を実行する。
【０１２３】
ここで、宛先指定フラグ、ＦＡＸ送信完了フラグ及び転送完了フラグの全てがオン状態の場合（ステップＳ４０４、Ｓ４０５、Ｓ４０６においてｙｅｓ）、送信制御部３７は、原稿画像格納部３４に格納されていた原稿画像を削除して処理を終了する（ステップＳ４０７）。
【０１２４】
[変形例]
上記実施形態では、画像形成装置１０においてＦＡＸ送信履歴転送機能を実行する場合を用いて説明したが、本発明はこれに限定されるものではなく、２種類の異なる送信手段を有している装置において、一方の送信手段による送信結果を他方の送信手段により指定された宛先に送信するような機能を実行する場合でも同様に本発明を適用することができるものである。例えば、ＦＡＸ送信履歴の情報を電子メールに添付して予め設定された宛先に送信するような場合等の様々な種類の２つの送信方法を組み合わせるような場合でも本発明は同様に適用可能である。
【符号の説明】
【０１２５】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
３０    ネットワーク
３１    画像読取部
３２    印刷部
３３    表示部
３４    原稿画像格納部
３５    システム制御部
３６    操作入力部
３７    送信制御部
３８    ＳＭＢ転送部
３９    ＦＡＸ通信部
４０    公衆電話回線
４１    文書データ
４２    属性情報
４３    原稿画像
【図１】
2020053732.tif 000003
【図２】
2020053732.tif 000004
【図３】
2020053732.tif 000005
【図４】
2020053732.tif 000006
【図５】
2020053732.tif 000007
【図６】
2020053732.tif 000008
【図７】
2020053732.tif 000009
【図８】
2020053732.tif 000010
【図９】
2020053732.tif 000011
【図１０】
2020053732.tif 000012
【図１１】
2020053732.tif 000013
【図１２】
2020053732.tif 000014